(57)【要約】【課題】開閉装置を大型化することなく、導風パネルの開放角を広げることができ、導風パネルの大型化も可能な空気調和機を提供する。【解決手段】導風パネル（３）を開閉する開閉装置（３０）は、導風パネル（３）を前方に向かって移動させるパネル移動部（３３）と、上軸（１１）を移動可能とし、上軸（１１）を挟んで保持しながら吹出口に近づくように移動させる上軸移動部（３４）と、下軸（１２）を保持する下軸保持部（３５）とを備え、パネル移動部（３３）、上軸移動部（３４）および下軸保持部（３５）はそれぞれが駆動ギア（３９、４４，４３）を有し、上軸移動部（３４）の上軸駆動ギア（４４）に上軸移動部（３４）の動きを決める溝カム（８０）が形成され、下軸保持部（３５）の下軸駆動ギア（４３）に下軸保持部（３５）の動きを決める溝カム（５９）が形成されている。【選択図】図８
2020200997.tif 000002
【特許請求の範囲】
【請求項１】
キャビネットの前面に形成された吹出口と、
前面に取り付けられて吹出口を覆い、上下の軸を中心に上下両開き可能な導風パネルと、
前記導風パネルを移動させて開閉する開閉装置と、を備え、
前記開閉装置は、
前記導風パネルを開くために当該導風パネルを前方に向かって移動させるパネル移動部と、
前記上下の軸のうちの一軸を保持する第１軸保持部と、
前記上下の軸のうちの他軸を保持する第２軸保持部と、を備え、
前記パネル移動部、前記第１軸保持部および前記第２軸保持部はそれぞれが駆動ギアを有し、
前記第１軸保持部の駆動ギアに当該第１軸保持部の動きを決める第１カム部が形成され、
前記第２軸保持部の駆動ギアに前記第２軸保持部の動きを決める第２カム部が形成されていることを特徴とする空気調和機。
【請求項２】
前記第１軸保持部は、前記一軸を移動可能とし、前記一軸を挟んで保持しながら前記吹出口に近づくように移動させる軸移動部としての機能を備え、
前記第１軸保持部の駆動ギアに、前記軸移動部の動きを決める第３カム部が形成されていることを特徴とする請求項１に記載の空気調和機。
【請求項３】
前記パネル移動部が有する駆動ギア、前記第１軸保持部が有する駆動ギア、および前記第２軸保持部が有する駆動ギアは、同一のモータにて駆動されることを特徴とする請求項１又は２に記載の空気調和機。
【請求項４】
前記モータの軸に接続されたモータギアと前記パネル移動部が有する駆動ギアとのギア比が、前記モータギアと前記第１軸保持部の駆動ギアとのギア比、および前記モータギアと前記第２軸保持部の駆動ギアとのギア比の何れよりも大きいことを特徴とする請求項３に記載の空気調和機。
【発明の詳細な説明】
【技術分野】
【０００１】
本発明は、室内機に上下両開き可能な導風パネルを有する空気調和機に関する。
【背景技術】
【０００２】
空気調和機の室内機には、キャビネットの前面に吹出口が形成され、吹出口から温風あるいは冷風が吹き出される。冷暖房運転に応じて、吹き出す風の向きを切り換える導風パネルが吹出口の前方に設けられる。
【０００３】
特許文献１には、キャビネットの前面を覆う導風パネルが上下の軸を中心にして上下両開き可能な空気調和機が記載されている。導風パネルは上軸を中心に上開きし、下軸を中心に下開きする。より詳細には、この空気調和機は、導風パネルを開閉する開閉装置（開閉部）を備え、開閉装置は、上軸を吹出口に近づくように移動させる軸移動部、導風パネルを開くために導風パネルを前方に向かって移動させるパネル移動部、下軸を保持する軸保持部と、正逆回転可能なモータにて駆動される駆動ギアとを有している。
【０００４】
駆動ギアの一面側にパネル移動部が配され、駆動ギアの他面側に軸移動部および軸保持部が配されている。パネル移動部、軸移動部および軸保持部は、駆動ギアの回転により動作する。パネル移動部はアームを有し、駆動ギアの回転によりアームを付き出すことでアームに取り付けられた導風パネルを動かす。軸移動部は、駆動ギアの回転により軸の保持と解除を行い、また、軸を保持した状態で移動させる。軸保持部は、駆動ギアの回転により軸の保持と解除を行う。駆動ギアには、このような軸移動部および軸保持部の動きを決めるカムが形成されている。
【０００５】
また、近年、空気調和機は、省エネ化の観点から室内機および室外機共に大型化する傾向にあり、導風パネルも大型化している。導風パネルを大型化することで、より広範囲に風を送ることができる。
【先行技術文献】
【特許文献】
【０００６】
【特許文献１】特許第５２１５４４１号公報
【発明の概要】
【発明が解決しようとする課題】
【０００７】
上記空気調和機では、上述したように、パネル移動部、軸移動部および軸保持部が１つの駆動ギアに配され、該駆動ギアに、軸移動部および軸保持部の動きを決めるカムが形成されている。そのため、このような構成では、導風パネルの開放角を広げるためにアームの突き出し量を大きくすると、駆動ギア（その径）が必然的に大きくなる。また、導風パネルを大型化した場合も同様で、導風パネルを大型化することで上軸と下軸の距離が広がるため、これによっても駆動ギアが大きくなる。
【０００８】
しかしながら、駆動ギアが大型化すると、導風パネルを開閉する開閉装置が大きくなり、ひいては、開閉装置が配される室内機の左右の側面部分が大きくなり、外観が悪くなる。なお、このような課題は、軸移動部に代えて、上下の軸両方に軸保持部を設けた構成（軸を移動させない構成）でも同様である。
【０００９】
本発明の一態様は、上記に鑑み、開閉装置を大型化することなく、導風パネルの開放角を広げることができ、導風パネルの大型化も可能な空気調和機を提供することを目的とする。
【課題を解決するための手段】
【００１０】
上記の課題を解決するために、本発明の一態様に係る空気調和機は、キャビネットの前面に形成された吹出口と、前記前記前面に取り付けられて吹出口を覆い、上下の軸を中心に上下両開き可能な導風パネルと、前記導風パネルを移動させて開閉する開閉装置と、を備え、前記開閉装置は、前記導風パネルを開くために当該導風パネルを前方に向かって移動させるパネル移動部と、前記上下の軸のうちの一軸を保持する第１軸保持部と、前記上下の軸のうちの他軸を保持する第２軸保持部と、を備え、前記パネル移動部、前記第１軸保持部および前記第２軸保持部はそれぞれが駆動ギアを有し、前記第１軸保持部の駆動ギアに当該第１軸保持部の動きを決める第１カム部が形成され、前記第２軸保持部の駆動ギアに前記第２軸保持部の動きを決める第２カム部が形成されていることを特徴とする。
【発明の効果】
【００１１】
本発明の一態様によれば、開閉装置を大型化することなく、導風パネルの開放角を広げることができ、導風パネルの大型化も可能な空気調和機を提供することができるといった効果を奏する。
【図面の簡単な説明】
【００１２】
【図１】実施の形態１に係る空気調和機の室内機の、導風パネルが閉姿勢にある状態の正面図である。
【図２】上記室内機の、導風パネルが閉姿勢にある状態の側面図である。
【図３】上記室内機の、導風パネルが上開きした状態の側面図である。
【図４】上記室内機の、導風パネルが下開きした状態の側面図である。
【図５】上記空気調和機の制御系の構成を示すブロック図である。
【図６】上記室内機が備える開閉装置の側面図であり、キャビネットの内面側に位置する面を示している。
【図７】上記室内機が備える開閉装置の側面図であり、キャビネットの外面側に位置する面を示している。
【図８】上記開閉装置の内部構造を示す図であり、図６より第１内ケースおよび第２内ケースを外した状態を示している。
【図９】上記開閉装置の内部構造を示す別の図であり、図７より第１内ケースおよび外ケースを外した状態を示している。
【図１０】上記開閉装置の内部構造を示すさらに別の図であり、図９より第２内ケース、パネルベース、およびアームを外した状態を示している。
【図１１】図８の四角で囲った部分の拡大図である。
【図１２】上記開閉装置における上軸を保持した状態の第１上軸保持部と溝カムとの位置関係を示す図である。
【図１３】上記開閉装置における第１上軸保持部材の第２上軸保持部材の対向する側の面を示す斜視図である。
【図１４】上記開閉装置における第１上軸保持部材の上軸駆動ギアと対向する側の面を示す斜視図である。
【図１５】上記開閉装置における第１上軸保持部材の上面図である。
【図１６】上記開閉装置における上軸を解放した状態の第１上軸保持部および第２上軸保持部と溝カムとの位置関係を示す図である。
【図１７】上記開閉装置による導風パネルを上開きする動作を説明する図である。
【図１８】上記開閉装置による導風パネルを上開きする動作を説明する図であり、図１７の次の状態を示す。
【図１９】上記開閉装置による導風パネルを上開きする動作を説明する図であり、図１８の次の状態を示し、導風パネルが全開した状態を示す。
【図２０】上記開閉装置による導風パネルを下開きする動作を説明する図である。
【図２１】上記開閉装置による導風パネルを下開きする動作を説明する図であり、図２０の次の状態を示す。
【図２２】上記開閉装置による導風パネルを下開きする動作を説明する図であり、図２１の次の状態を示し、導風パネルが開き始めた状態を示す。
【図２３】上記開閉装置による導風パネルを下開きする動作を説明する図であり、図２２の次の状態を示す。
【図２４】上記開閉装置による導風パネルを下開きする動作を説明する図であり、図２３の次の状態を示し、導風パネルが開き、上軸が移動し始めた状態を示す。
【図２５】上記開閉装置による導風パネルを下開きする動作を説明する図であり、図２４の次の状態を示す。
【図２６】上記開閉装置による導風パネルを下開きする動作を説明する図であり、図２５の次の状態を示す。
【図２７】上記開閉装置による導風パネルを下開きする動作を説明する図であり、図２６の次の状態を示し、上軸の移動が完了し、導風パネルが全開した状態を示す。
【発明を実施するための形態】
【００１３】
〔実施の形態１〕
本発明の実施の形態を図面に基づいて以下に説明する。
【００１４】
（空気調和機の室内機１の概要）
図１は、本実施の形態に係る空気調和機の室内機１の導風パネル３が閉姿勢にある状態の正面図である。図２は、上記室内機１の導風パネル３が閉姿勢にある状態の側面図である。図３は、上記室内機１の導風パネル３が上開きした状態の側面図である。図４は、上記室内機１の導風パネル３が下開きした状態の側面図である。
【００１５】
図１から図４に示すように、室内機１は、キャビネット２を備え、キャビネット２の前面部に導風パネル３が設けられている。キャビネット２の内部には、図示してはいないが、送風ファン、熱交換器等が収容されている。なお、以下の説明において、室内機１を前面（正面）から見て室内機１の幅方向を左右方向とし、室内機の奥行き方向を前後方向とし、室内機１の高さ方向を上下方向とする。
【００１６】
キャビネット２の上面部には吸込口８が形成され、該吸込口８には例えばＨＥＰＡフィルタ(High Efficiency Particulate Air Filter)等の空気清浄効果の高いフィルタが設置されている。キャビネット２の前面部は、上方から下方に向かって後面側に傾斜しており、この傾斜面に吹出口７が形成されている。
【００１７】
キャビネット２の前面部には、吹出口７を覆うように、導風パネル３が配設されている。導風パネル３は、吹出口７を開閉し、吹出口７から吹き出される風を案内して吹き出し方向を決定するものである。導風パネル３は、上下の軸１１，１２を中心に上下両開き可能に構成され、キャビネット２の前面に開閉自在に支持されている。本実施の形態において、導風パネル３の幅は、キャビネット２の幅と同寸とされ、吹出口７の幅より大きい。また、導風パネル３は、キャビネット２の内側に向かって凹をなすＲ形状を有し、このような導風パネル３の形状に倣い、キャビネット２の前面部の傾斜面もキャビネット２の内側に向かって凹をなすＲ形状に形成されている。
【００１８】
図１、図２に示すように、導風パネル３は、閉姿勢にある状態で吹出口７を覆い、図３、図４に示すように、開いた状態で吹出口７を開放する。図３は、導風パネル３が下軸１２を中心に上側が開いた上開きの状態を示している。上開きの状態では風は上吹きとなる。図４は、導風パネル３が上軸１１を中心に下側が開いた下開きの状態を示している。下開きの状態では風は下吹きとなる。
【００１９】
このような導風パネル３は、導風パネル３に接続されたアーム３７を含む後述する開閉装置３０（図６参照）にて開閉駆動される。開閉装置３０は、導風パネル３を駆動するパネルモータ２４（図５、図６参照）を備え、パネルモータ２４の駆動力にて導風パネル３を開閉する。
【００２０】
（空気調和機の制御系）
図５は、空気調和機の制御系の構成を示すブロック図である。図５に示すように、空気調和機の制御系は、例えばマイクロコンピュータからなる制御部２１および記憶部２２を備えている。制御部２１には受信部２６が接続され、受信部２６は、ユーザが操作するリモートコントローラ（以下、単にリモコンと称する）２７からの指令を受信する。制御部２１は、リモコン２７からの指令に応じて、空調部２３、パネルモータ２４および送風機モータ２５の動作を制御する。
【００２１】
記憶部２２、空調部２３、パネルモータ２４および送風機モータ２５の動作を制御するために必要な各種の情報を記憶している。空調部２３は、冷凍サイクルを実行する部分であり、蒸発器、凝縮機および圧縮機等、冷凍サイクルを実行するための構成を有する。空調部２３は、室内機１および室外機５に亘って構成されている。パネルモータ２４は、例えば暖房や冷房の設定、あるいはユーザ設定に応じて、導風パネル３をそれぞれの位置に配置されるように駆動する。送風機モータ２５は、送風ファンを回転させる。
【００２２】
（開閉装置３０の構成）
図１に示すように、開閉装置３０は、左右一対に設けられ、キャビネット２の左右両側に内装されている。開閉装置３０は、吹出口７よりも外側に配されている。左右に配置される開閉装置３０は、向きが逆になる以外は同一の構成を有している。したがって、以降、向かって室内機１の右側に配置される開閉装置３０について説明する。
【００２３】
図６は、開閉装置３０の側面図であり、キャビネット２の内面側に位置する面を示している。図７は、開閉装置３０の側面図であり、キャビネット２の外面側に位置する面を示している。キャビネット２の内面側とは、左右方向において吹出口７に面する側であり、キャビネット２の外面側とは、キャビネット２の左右の側面カバーに面する側である。
【００２４】
図６、図７に示すように、開閉装置３０は、ケース部３１に内装され、ユニット化されている。ケース部３１がキャビネット２にねじ等により取り付けられる。ケース部３１は、外ケース３１Ａ、第１内ケース３１Ｂおよび第２内ケース３１Ｃによって分割可能に形成されている。第１内ケース３１Ｂおよび第２内ケース３１Ｃがキャビネット２の内面側に位置し、外ケース３１Ａがキャビネット２の外面側に位置する。
【００２５】
図８は、開閉装置３０の内部構造を示す図であり、図６より第１内ケース３１Ｂおよび第２内ケース３１Ｃを外した状態を示している。図９は、開閉装置３０の内部構造を示す別の図であり、図７より第１内ケース３１Ｂおよび外ケース３１Ａを外した状態を示している。図１０は、開閉装置３０の内部構造を示すさらに別の図であり、図９より第２内ケース３１Ｃ、パネルベース３６、およびアーム３７を外した状態を示している。なお、図６〜図１０は全て、導風パネル３が閉姿勢にある状態を示している。
【００２６】
図８に示すように、開閉装置３０は、導風パネル３を開くために導風パネル３を前方に向かって移動させるパネル移動部３３と、上軸１１を保持し、上軸１１を吹出口７に近づくように移動させる上軸移動部（軸移動部、第１軸保持部）３４と、下軸１２を保持する下軸保持部（第２軸保持部）３５とを有している。
【００２７】
開閉装置３０は、導風パネル３を閉姿勢とすることで吹出口７を覆う。導風パネル３が閉姿勢にある状態では、上軸１１は、吹出口７よりも前側上部の離れた位置にあり、下軸１２は、吹出口７の開口縁の近傍に位置している（図２参照）。
【００２８】
そして、開閉装置３０は、下軸１２を中心にして導風パネル３を開閉するとき（上開き）、パネル移動部３３にて導風パネル３を移動させるとともに、下軸保持部３５は下軸１２を保持したままとし、上軸移動部３４は上軸１１の保持を解除する。上開き動作においては、下軸１２は移動せずに導風パネル３が開く。
【００２９】
一方、上軸１１を中心にして導風パネル３を開閉するとき（下開き）、パネル移動部３３にて導風パネル３を移動させるとともに、下軸保持部３５は下軸１２の保持を解除し、上軸移動部３４は上軸１１を保持したまま上軸１１を吹出口７に近づけるように移動させる。したがって、下開き動作においては、上軸１１が吹出口７に近づき、導風パネル３の縁が吹出口７に近づく。
【００３０】
パネル移動部３３はアーム駆動ギア３９を有し、上軸移動部３４は上軸駆動ギア４４を有し、下軸保持部３５は下軸駆動ギア４３を有する。そして、上軸駆動ギア４４に上軸移動部３４の動きを決める溝カム８０が形成され、下軸駆動ギア４３に下軸保持部３５の動きを決める溝カム５９が形成されている。以下、開閉装置３０の構成について詳細に説明する。
【００３１】
図８〜図１０に示すように、パネル移動部３３は、パネルベース３６と、パネルベース３６に取り付けられたアーム３７と、アーム３７を移動自在に支持する移動体３８と、アーム３７を付き出すように移動体３８を移動させるアーム駆動ギア３９とを有する。
【００３２】
パネルベース３６には、導風パネル３が着脱可能に取り付けられる。導風パネル３は、内側面の左右方向の端部がパネルベース３６に取り付けられる。パネルベース３６には、アーム３７が回動自在に取り付けられ、アーム３７は、移動体３８、アーム駆動ギア３９およびケース部３１等を介して、キャビネット２に支持されている。すなわち、導風パネル３は、アーム３７を介してキャビネット２に取り付けられ、かつキャビネット２に着脱可能となっている。
【００３３】
上軸１１はパネルベース３６の前側に設けられ、導風パネル３の上側の端縁の近くに位置する。下軸１２はパネルベース３６の後側に設けられ、導風パネル３の下側の端縁の近くに位置する。上軸１１および下軸１２は、左右方向に平行に配置されている。上軸１１および下軸１２は、前後左右方向において、吹出口７よりも外側に位置し、かつ吹出口７よりも前方に位置する。そのため、上軸１１および下軸１２は、吹出口７から吹き出される風の流れを邪魔することはない。なお、パネルベース３６を導風パネル３に一体化してもよい。その場合、アーム３７は、導風パネル３に直接取り付けられる。
【００３４】
アーム駆動ギア３９は、パネルモータ２４（図６参照）によって回転駆動され、アーム駆動ギア３９は、第１内ケース３１Ｂに形成された固定軸４０に回転自在に支持される。パネルモータ２４は、図６に示すように、第２内ケース３１Ｃに装着され、モータ軸に取り付けられたモータギア４１がアーム駆動ギア３９と噛み合う。パネルモータ２４が駆動すると、モータギア４１を介してアーム駆動ギア３９が回転する。
【００３５】
パネルモータ２４は正逆回転可能であり、導風パネル３の開く方向に応じてパネルモータ２４が駆動され、アーム駆動ギア３９が時計回りあるいは反時計回りに回転する。左右に配置される開閉装置３０のパネルモータ２４は同期して回転される。以下、導風パネル３を上開きする際のパネルモータ２４の回転方向を正回転とし、導風パネル３を下開きする際のパネルモータ２４の回転方向を逆回転とする。
【００３６】
移動体３８はアーム駆動ギア３９と一体に設けられている。移動体３８の一側に軸孔４６が設けられ、該軸孔４６に、アーム３７の後側に突設されたアーム軸４５が嵌め込まれている。アーム３７の前側は、パネルベース３６に支軸４７を介して回転自在に取り付けられる。アーム３７は、移動体３８に回転自在に支持される。すなわち、アーム３７は、間接的にキャビネット２に移動可能に支持される。
【００３７】
導風パネル３の開閉に応じてアーム３７の突出を調節するために、アーム３７の移動を規制するアーム案内部４８が設けられる。アーム案内部４８は、アーム軸４５を案内するガイド溝である。アーム軸４５は、移動体３８が位置する内面側と、外ケース３１Ａが位置する外面側との両方に突設されている。アーム案内部４８は、外ケース３１Ａの内面（吹出口７側）に形成され、アーム３７より突設するアーム軸４５がアーム案内部４８に移動可能に保持される。
【００３８】
アーム案内部４８は、上開き時にアーム３７を案内する上ガイドと、下開き時にアーム３７を案内する下ガイドとからなる。導風パネル３が開くとき、アーム駆動ギア３９の回転に伴って移動体３８が周方向に回転すると、上ガイドあるいは下ガイドに沿ってアーム３７の後側が移動する。移動体３８が周方向に回転することで、アーム３７は全体的にキャビネット２から付き出るように前方に向かって移動する。導風パネル３が閉じるときには、移動体３８およびアーム３７はこれとは逆の動きをする。
【００３９】
アーム案内部４８は、略Ｃ形の溝であって、曲線状の３つの溝によって構成される。曲率が小さい中間溝４８ａを挟んで曲率の大きい上溝４８ｂおよび下溝４８ｃが配され、３つの溝によって１つのガイド溝が形成されている。中間溝４８ａの上半分と上溝４８ｂとにより上ガイドが形成され、中間溝４８ａの下半分と下溝４８ｃとにより下ガイドが形成される。中間溝４８ａ内に上ガイドと下ガイドとの分岐点が位置し、この位置がアーム３７の停止位置となっている。アーム３７の後側が停止位置にあるとき、導風パネル３は閉姿勢にある。
【００４０】
上ガイドにおいて、中間溝４８ａの区間が、導風パネル３を閉じたまま上軸１１の保持あるいは解除するときの着脱区間であり、上溝４８ｂの区間が、導風パネル３を開閉する開閉区間である。下ガイドも同様に、中間溝４８ａの区間が、導風パネル３を閉じたまま下軸１２の保持あるいは解除するときの着脱区間であり、下溝４８ｃの区間が、導風パネル３を開閉する開閉区間である。
【００４１】
着脱区間では、アーム軸４５は中間溝４８ａを移動し、アーム３７の後側がアーム３７の前側の支軸４７を中心した円弧上を移動する。開閉区間では、アーム軸４５は上溝４８ｂあるいは下溝４８ｃを移動する。上溝４８ｂおよび下溝４８ｃはケース部３１の前面に近づくように形成されているので、導風パネル３が開くときには、アーム軸４５は前方に向かって移動し、アーム３７はケース部３１から徐々に突出する。導風パネル３が閉じるときには、逆にアーム軸４５が後方に向かって移動し、アーム３７はケース部３１内に徐々に戻っていく。
【００４２】
下軸保持部３５は、第２内ケース３１Ｃに突設された支軸５５に回転自在に支持されたレバー５７と、レバー５７を動かす下軸駆動ギア４３とを有する。レバー５７は、下端側に下軸１２を引っ掛けて保持する爪５６を有し、上端側に溝カム５９に嵌められる案内ピン５８を有する。爪５６が下軸１２を係止することで下軸１２が保持される。レバー５７が回転して爪５６が下軸１２から離れることで、下軸１２の保持が解除される。
【００４３】
下軸駆動ギア４３は、アーム駆動ギア３９と噛み合っている。パネルモータ２４が駆動すると、モータギア４１、アーム駆動ギア３９を介して下軸駆動ギア４３が回転する。下軸駆動ギア４３の回転によってレバー５７が移動し、爪５６が下軸１２に対して離接する。
【００４４】
下軸駆動ギア４３の内側面には、下軸保持部３５の動きを決める溝カム（第２カム部）５９が形成されている。溝カム５９は、大円部５９ａと小円部５９ｂとを有している。案内ピン５８が小円部５９ｂに位置しているとき、下軸駆動ギア４３が回転しても、レバー５７は回転しない。つまり、下軸保持部３５は移動せず、下軸１２を保持した状態を維持する。案内ピン５８が大円部５９ａに入ると、下軸駆動ギア４３の回転に伴ってレバー５７が支軸５５周りに回転し、爪５６が下軸１２に対して近づいたり、離れたりする。つまり、下軸保持部３５は、下軸１２を保持又は解除する。
【００４５】
上軸移動部３４は、上軸１１を挟んで保持する一対の第１上軸保持部７０および第２上軸保持部７１と、第１、第２上軸保持部７０，７１を動かす上軸駆動ギア４４とを有する。図１１は図８の四角で囲った部分の拡大図である。図１２は、上記開閉装置３０における上軸１１を保持した状態の第１上軸保持部７０と溝カム８０との位置関係を示す図である。図１３は、上記開閉装置３０における第１上軸保持部７０の第２上軸保持部７１の対向する側の面を示す斜視図である。図１４は、上記開閉装置３０における第１上軸保持部７０の上軸駆動ギア４４と対向する側の面を示す斜視図である。図１５は、上記開閉装置３０における第１上軸保持部７０の上面図である。図１６は、上記開閉装置３０における上軸１１を解放した状態の第１上軸保持部７０および第２上軸保持部７１と溝カム８０との位置関係を示す図である。
【００４６】
図１１に示すように、第１上軸保持部７０および第２上軸保持部７１は、上軸駆動ギア４４よりも内面側（第２内ケース３１Ｃ側）に、左右方向に並べて配されている。第２上軸保持部７１は、第２内ケース３１Ｃに突設された保持軸７２に回転自在に支持されている。第１上軸保持部７０は、第２上軸保持部７１に対してスライド可能に取り付けられている。
【００４７】
図１３、図１５に示すように、第１上軸保持部７０の第２上軸保持部７１と対向する側の面には、一対のスライドピン７０ｂ，７０ｂが前後方向に並んで設けられている。そして、図１１に示すように、これらスライドピン７０ｂ，７０ｂは、第２上軸保持部７１に形成された前後方向に長いピン長孔８１，８１に挿入されている。これにより、第１上軸保持部７０は、一対のスライドピン７０ｂ，７０ｂがピン長孔８１，８１内を移動する範囲内で、第２上軸保持部７１に対して前後方向にスライド可能となっている。
【００４８】
また、図１０、図１６に示すように、第２上軸保持部７１の前端部には上軸１１を受ける受部７１ａが形成されている。受部７１ａは下方に向かって開放されている。第１上軸保持部７０の前端部には、受部７１ａの開放された下面を閉鎖して受部７１ａとの間で上軸１１を保持する閉止部７０ａが形成されている。第１上軸保持部７０が第２上軸保持部７１に対してスライドして閉止部７０ａが受部７１ａの下面を開閉することで、上軸１１の保持と保持の解除が行われる。そして、受部７１ａと閉止部７０ａとの間に上軸１１を保持した状態で、第１上軸保持部７０および第２上軸保持部７１が保持軸７２を中心として一体的に移動することで、上軸１１を吹出口７の近づけることができる。
【００４９】
上軸駆動ギア４４は、モータギア４１と噛み合っている。パネルモータ２４が駆動すると、モータギア４１を介して上軸駆動ギア４４が回転する。上軸駆動ギア４４の回転によって、上軸移動部３４を吹出口７に向かって移動させる。上軸移動部３４が移動するとき、導風パネル３の開閉する方向に応じて各上軸保持部７０，７１の移動を案内する軸案内部が設けられている。
【００５０】
軸案内部は、上軸駆動ギア４４の内側面に設けられた溝カム（上軸移動部の動きを決めるカム）８０と、該溝カム８０に嵌め込まれる第１上軸保持部７０に設けられた案内ピン７０ｃおよび第２上軸保持部７１に設けられた案内ピン７１ｂとから構成される。
【００５１】
図１４、図１５に示すように、第１上軸保持部７０における上軸駆動ギア４４と対向する側の面に案内ピン７０ｃが形成され、図１１に示すように、第２上軸保持部７１における上軸駆動ギア４４と対向する側の面に案内ピン７１ｂが形成されている。これら第１上軸保持部７０に設けられた案内ピン７０ｃおよび第２上軸保持部７１の案内ピン７１ｂが、上軸駆動ギア４４に設けられた溝カム（第１カム部、第３カム部）８０に嵌め込まれる。
【００５２】
溝カム８０は、第１上軸保持部７０に設けられた案内ピン７０ｃを案内する外周側に形成された第１溝８２と、第２上軸保持部７１に設けられた案内ピン７１ｂを案内する内周側に形成された第２溝３２とを備える。
【００５３】
図１１、図１２に示すように、第１溝８２は、大径部８２ａと大径部８２ａに連続する小径部８２ｂを有する。第１上軸保持部７０に設けられた案内ピン７０ｃは、上軸１１を解放して導風パネル３を上開きする時以外、第１溝８２における大径部８２ａに位置する。第１上軸保持部７０に設けられた案内ピン７０ｃが第１溝８２における大径部８２ａに位置する状態で、案内ピン７０ｃは保持軸７２と同一軸上にある。これにより、上軸１１の移動時、第１上軸保持部７０は第２上軸保持部７１とともに保持軸７２を中心に回動する。
【００５４】
そして、図１６に示すように、上軸１１を解放して導風パネル３が上開きするとき、上軸駆動ギア４４の回転に伴って、第１上軸保持部７０に設けられた案内ピン７０ｃは、第１溝８２における大径部８２ａから小径部８２ｂへと移動する。小径部８２ｂに移動することで、第１上軸保持部７０が第２上軸保持部７１に対して後方にスライドする。これにより、第１上軸保持部７０に設けられた閉止部７０ａが第２上軸保持部７１に設けられた受部７１ａの下面を開放し、上軸１１が解放される。上軸１１の解放時、第１上軸保持部７０および第２上軸保持部７１は移動せず位置を保持する。
【００５５】
一方、第２溝８３は、図１１に示すように、小径部８３ａと、小径部８３ａに連続する直線状部８３ｂと、直線状部８３ｂに連続する大径部８３ｃとを有する。第２上軸保持部７１に設けられた案内ピン７１ｂは、下開きした導風パネル３の支軸である上軸１１を吹出口７に近づくように移動させる時以外、小径部８３ａに位置している。
【００５６】
そして、導風パネル３の下開き時に、上軸駆動ギア４４の回転に伴って、第２上軸保持部７１に設けられた案内ピン７１ｂは、第２溝８３における小径部８３ａから直線状部８３ｂを通って大径部８３ｃへと移動する。小径部８３ａから直線状部８３ｂを通って大径部８３ｃへと移動することで、第２上軸保持部７１および第１上軸保持部７０が保持軸７２を中心に回動して、保持している上軸１１を吹出口７に近づくように移動させる。
【００５７】
開閉装置３０では、パネル移動部３３、上軸移動部３４および下軸保持部３５は、１つの駆動源であるパネルモータ（モータ）２４の駆動力が伝達される、アーム駆動ギア３９、上軸駆動ギア４４、下軸駆動ギア４３によって動作する。空気調和機の運転が開始されると、制御部２１（図５参照）は開閉装置３０のパネルモータ２４を制御し、アーム駆動ギア３９、上軸駆動ギア４４、下軸駆動ギア４３は、所定の制御シーケンスにしたがって動作する。
【００５８】
上軸移動部３４あるいは下軸保持部３５が動作すると、上軸１１、下軸１２のうち一方の軸の保持が解除される。パネル移動部３３が動作すると、アーム３７がキャビネット２の前方に向かって移動して、導風パネル３が開く。上軸移動部３４が動作すると、上軸１１が移動し、導風パネル３の上軸側の端縁が吹出口７の開口縁に近づく。
【００５９】
導風パネル３が閉じるときは、上記と逆の方向にアーム３７が移動し、導風パネル３が閉姿勢になった後、一方の軸が保持される。そして、アーム３７が停止位置にきたとき、パネルモータ２４の駆動が停止される。
【００６０】
開閉装置３０は、アーム３７の位置を検出する検知スイッチ８５を備えている。アーム３７が停止位置に到達したとき、検知スイッチ８５はオンして、制御部２１に検知信号を出力する。制御部２１は、この検知信号に基づいて導風パネル３が閉姿勢になったと判断し、運転を停止する。
【００６１】
（開閉装置３０の動作）
次に、制御シーケンスにしたがって導風パネル３が開閉するときの開閉装置３０の動きを説明する。導風パネル３が上開きする場合の開閉装置３０の動きを図１７〜図１９に示す。運転が停止しているとき、図８に示すように、開閉装置３０は停止状態にある。すなわち、導風パネル３は閉姿勢にある。
【００６２】
このとき、第１上軸保持部７０および第２上軸保持部７１は上軸１１を保持し、下軸保持部３５は下軸１２を保持している。アーム３７は停止位置にある。ここで、冷房運転の指示があると、制御部２１は、開閉装置３０の動作を開始させ、アーム駆動ギア３９が正方向に回転するようにパネルモータ２４を駆動制御する。
【００６３】
図１７に示すように、パネルモータ２４（図６参照）の正回転の駆動により、モータギア４１が反時計回りに回転すると、アーム駆動ギア３９および上軸駆動ギア４４は時計回りに回転し、下軸駆動ギア４３は反時計回りに回転する。
【００６４】
上軸移動部３４において、第１上軸保持部７０の案内ピン７０ｃが溝カム８０における第１溝８２の大径部８２ａから小径部８２ｂに移動する。これにより、第２上軸保持部７１に対して第１上軸保持部７０が後方にスライドして受部７１ａが解放され、上軸１１の保持が解除される。下軸保持部３５において、レバー５７の案内ピン５８は溝カム５９の小円部５９ｂに位置し、下軸保持部３５は移動しないため、下軸１２は保持されたままである。パネル移動部３３において、アーム軸４５は上ガイドの中間溝４８ａを通る。アーム３７の後側は移動するが、アーム３７の前側は移動しない。導風パネル３は、閉姿勢を維持している。
【００６５】
図１８に示すように、アーム軸４５が上溝４８ｂに入ると、アーム３７が前方に移動し始めて、キャビネット２（図３参照）から徐々に付き出る。なお、図ではキャビネット２の前端ラインを破線で示す。下軸１２は保持されたままである。アーム３７の前方への移動に伴って、パネルベース３６に取り付けられた導風パネル３が下軸１２を中心に開き始める。
【００６６】
そして、図１９に示すように、アーム軸４５は上溝４８ｂの終端の手前達すると、アーム３７はキャビネット２から大きく付き出し、導風パネル３の開き角度も最大となる。導風パネル３の開き角度が最大になると、制御部２１はパネルモータ２４を停止させる。制御部２１は、パネルモータ２４の回転角をカウントしており、所定の回転角に達したとき、導風パネル３が全開したと判断し、パネルモータ２４は停止させる。
【００６７】
導風パネル３が開くと、制御部２１は、空調部２３を制御して、指示された運転を行う。風が吹出口７から導風パネル３により導かれて、水平に遠くまで吹き出す。
【００６８】
運転停止の指示があると、制御部２１は、パネルモータ２４を駆動して、アーム駆動ギア３９を逆方向の反時計回りに回転させる。アーム３７が後方に向かって移動し、導風パネル３が閉じ始める。図１７に示すように、導風パネル３が閉姿勢になった後、第１上軸保持部７０の案内ピン７０ｃが溝カム８０における第１溝８２の小径部８２ｂから大径部８２ａに戻る。これにより、第２上軸保持部７１に対して第１上軸保持部７０が前方にスライドして、第１、第２上軸保持部７０，７１の閉止部７０ａと受部７１ａとの間で上軸１１を保持する。アーム３７の後側が停止位置に達すると、検知スイッチ８５がオンし、制御部２１は、パネルモータ２４を停止させ、運転を停止する。
【００６９】
次に、導風パネル３が下開きする場合の開閉装置３０の動きを図２０〜図２７に示す。開閉装置３０が図８に示す停止状態にあるときに、暖房運転あるいは急速冷房運転の指示が行われると、制御部２１は、運転を開始し、アーム駆動ギア３９が逆方向に回転するようにパネルモータ２４を駆動制御する。
【００７０】
図２０に示すように、パネルモータ２４（図６参照）の逆回転の駆動により、モータギア４１が時計回りに回転すると、アーム駆動ギア３９および上軸駆動ギア４４は反時計回りに回転し、下軸駆動ギア４３は時計回りに回転する。
【００７１】
下軸保持部３５において、レバー５７の案内ピン５８は溝カム５９の大円部５９ａに位置し、下軸保持部３５が移動し、下軸保持部３５の爪５６が下軸１２から離れ始める。上軸移動部３４においては、第１上軸保持部７０の案内ピン７０ｃは溝カム８０における第１溝８２の大径部８２ａに位置し、上軸１１は保持されたままである。下軸１２の保持が解除されたとき、第２上軸保持部７１の案内ピン７１ｂは溝カム８０における第２溝８３の小径部８３ａに位置しており、第１、第２上軸保持部７０，７１はまだ回動しない。パネル移動部３３において、アーム軸４５は下ガイドの中間溝４８ａを通る。アーム３７の後側は移動するが、アーム３７の前側は移動しない。導風パネル３は、閉姿勢を維持している。
【００７２】
図２１に示すように、下軸保持部３５の爪５６が下軸１２からさらに離れる。アーム軸４５が下溝４８ｃに入ると、アーム３７が前方に付き出すように移動し始める。図２２に示すように、下軸保持部３５の爪５６が下軸１２から完全に離れ、下軸１２の保持が解除される。アーム軸４５が下溝４８ｃを通って進むと、アーム３７がさらに前方に付き出され、アーム３７の前方への移動に伴って、パネルベース３６に取り付けられた導風パネル３が上軸１１を中心に開き始める。図２３に示すように、アーム軸４５が下溝４８ｃを通って進むと、アーム３７がさらに前方に付き出され、導風パネル３がさらに開く。
【００７３】
図２４に示すように、アーム軸４５が下溝４８ｃを中ほどに達すると、第２上軸保持部７１の案内ピン７１ｂが溝カム８０における第２溝８３の小径部８３ａから直線状部８３ｂへと移動し、第１、第２上軸保持部７０，７１が保持軸７２回りに回動し始め、上軸１１が移動し始める。図２５、図２６に示すように、アーム軸４５が下溝４８ｃを下端に達する手前まで、第１、第２上軸保持部７０，７１が保持軸７２回りに回動して、導風パネル３は、上軸１１を下方に移動させながらさらに開いていく。
【００７４】
図２７に示すように、アーム軸４５が下溝４８ｃを下端に達すると、上軸１１はさらに下方に移動し、吹出口７の近傍に位置する。アーム軸４５が下溝４８ｃを下端に達すると、導風パネル３の開き角度が最大になる。全開状態では、第２上軸保持部７１の案内ピン７１ｂは溝カム８０における第２溝８３の大径部８３ｃへ移動しており、第２上軸保持部７１および第１上軸保持部７０を、保持軸７２を中心に最大限に回動させている。全開となると、制御部２１は、導風パネル３が全開したと判断し、パネルモータ２４を停止させる。導風パネル３が開くと、制御部２１は、空調部２３を制御して、指示された運転を行う。風が吹出口７から導風パネル３により下方に向かって導かれる。
【００７５】
運転停止の指示があると、制御部２１は、パネルモータ２４を駆動して、アーム駆動ギア３９を正方向の時計回りに回転させる。アーム３７が後方に向かって移動し、導風パネル３が閉じる。上軸１１が元の位置に戻り、下軸１２が保持されて、導風パネル３は閉姿勢となる。アーム３７の後側が停止位置に達すると、制御部２１は、パネルモータ２４を停止させ、運転を停止する。
【００７６】
（室内機１の利点）
上記構成によれば、開閉装置３０において、パネル移動部３３はアーム駆動ギア３９を有し、上軸移動部３４は上軸駆動ギア４４を有し、下軸保持部３５は下軸駆動ギア４３を有する。そして、上軸駆動ギア４４に上軸移動部３４の動きを決める溝カム８０が形成され、下軸駆動ギア４３に下軸保持部３５の動きを決める溝カム５９が形成されている。
【００７７】
このように、パネル移動部３３、上軸移動部３４および下軸保持部３５の各々に個別に駆動ギアを設け、上軸移動部３４の溝カム８０、下軸保持部３５の溝カム５９を各々の駆動ギアに設けることで、１つの駆動ギアに集約して設ける構成に比べて、開閉装置３０を小型にすることができる。また、開閉装置３０を構成する、アーム駆動ギア３９、上軸駆動ギア４４、下軸駆動ギア４３等の部品の配置の自由度が増し、設計が容易になる。
【００７８】
また、上記構成によれば、導風パネル３の下開き時、上軸移動部３４が、上軸１１を吹出口７に近づけるように移動させて、導風パネル３の端縁を吹出口７の開口縁に近接させる。これにより、導風パネル３は吹出口７の上壁に連なり、導風パネル３を吹出口７の一部となり、吹出口７が延長する。吹出口７からの風が導風パネル３によって長く案内されることにより、所望の方向にスムーズな送風を行える。また、導風パネル３により、吹出口７の開口の向きを所望の方向に向けることができ、気流を制御しやすくなる。
【００７９】
さらに、アーム駆動ギア３９、上軸駆動ギア４４、下軸駆動ギア４３を、１つのパネルモータ２４で駆動しているので、機構部品のみで、パネル移動部３３、上軸移動部３４および下軸保持部３５のタイミングを調整することが可能で、制御が容易になる。
【００８０】
〔実施の形態２〕
本発明の他の実施の形態について、以下に説明する。なお、説明の便宜上記実施の形態にて説明した部材と同じ機能を有する部材については、同じ符号を付記し、その説明を繰り返さない。
【００８１】
本実施の形態に係る空気調和機の室内機に備えられた開閉装置は、前述した開閉装置３０と同様の構成を有し、より好ましい構成として、モータギア４１とアーム駆動ギア３９とのギア比を、モータギア４１と上軸駆動ギア４４とのギア比、およびモータギア４１と下軸駆動ギア４３とのギア比よりも大きくしている。
【００８２】
このような構成とすることで、３つの駆動ギア（アーム駆動ギア３９、上軸駆動ギア４４、下軸駆動ギア４３）のうち、最も大きな力を必要とする導風パネル３を駆動するアーム駆動ギア３９のトルクを上げることができる。
【００８３】
〔実施の形態３〕
本発明の他の実施の形態について、以下に説明する。なお、説明の便宜上記実施の形態にて説明した部材と同じ機能を有する部材については、同じ符号を付記し、その説明を繰り返さない。
【００８４】
本実施の形態に係る空気調和機の室内機に備えられた開閉装置は、前述した開閉装置３０と同様の構成を有し、上軸移動部３４に代えて、軸移動機構を具備しない上軸保持部を備えている点が異なる。
【００８５】
〔まとめ〕
本発明の態様１に係る空気調和機は、キャビネット２の前面に形成された吹出口７と、前記前面に取り付けられて吹出口７を覆い、上下の軸（上軸１１，下軸１２）を中心に上下両開き可能な導風パネル３と、前記導風パネル３を移動させて開閉する開閉装置３０と、を備え、前記開閉装置３０は、前記導風パネル３を開くために当該導風パネル３を前方に向かって移動させるパネル移動部３３と、前記上下の軸のうちの一軸を保持する第１軸保持部（上軸移動部３４）と、前記上下の軸のうちの他軸を保持する第２軸保持部（下軸保持部３５）と、を備え、前記パネル移動部３３、前記第１軸保持部および前記第２軸保持部はそれぞれが駆動ギアを有し、前記第１軸保持部の駆動ギア（上軸駆動ギア４４）に当該第１軸保持部の動きを決める第１カム部（溝カム８０）が形成され、前記第２軸保持部の駆動ギア（下軸駆動ギア４３）に前記第２軸保持部の動きを決める第２カム部（溝カム５９）が形成されていることを特徴とする。
【００８６】
本発明の態様２に係る空気調和機は、さらに、前記態様１において、前記第１軸保持部は、前記一軸を移動可能とし、前記一軸を挟んで保持しながら前記吹出口７に近づくように移動させる軸移動部としての機能を備え、前記第１軸保持部の駆動ギア（上軸駆動ギア４４）に、前記軸移動部の動きを決める第３カム部（溝カム８０）が形成されている構成とすることもできる。
【００８７】
本発明の態様３に係る空気調和機は、さらに、前記態様１又は２において、前記パネル移動部３３が有する駆動ギア（アーム駆動ギア３９）が、前記第１軸保持部が有する駆動ギア（上軸駆動ギア４４）、および前記第２軸保持部が有する駆動ギア（下軸駆動ギア４３）は、同一のモータ（パネルモータ２４）にて駆動される構成とすることもできる。
【００８８】
本発明の態様４に係る空気調和機は、さらに、前記態様３において、前記モータの軸に接続されたモータギア４１と前記パネル移動部３３が有する駆動ギア（上軸駆動ギア４４）とのギア比が、前記モータギア４１と前記第１軸保持部の駆動ギア（上軸駆動ギア４４）とのギア比、および前記モータギア４１と前記第２軸保持部の駆動ギア（下軸駆動ギア４３）とのギア比の何れよりも大きい構成とすることもできる。
【００８９】
本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。さらに、各実施の形態にそれぞれ開示された技術的手段を組み合わせることにより、新しい技術的特徴を形成することができる。
【符号の説明】
【００９０】
１  室内機
２  キャビネット
３  導風パネル
５  室外機
７  吹出口
１１  上軸
１２  下軸
２１  制御部
２３  空調部
２４  パネルモータ（モータ）
３０  開閉装置
３１  ケース部
３１Ａ  外ケース
３１Ｂ  第１内ケース
３１Ｃ  第２内ケース
３３  パネル移動部
３４  上軸移動部（第１軸保持部、軸移動部）
３５  下軸保持部（第２軸保持部）
３６  パネルベース
３７  アーム
３８  移動体
３９  アーム駆動ギア
４０  固定軸
４１  モータギア
４３  下軸駆動ギア
４４  上軸駆動ギア
４５  アーム軸
４６  軸孔
４７、５５  支軸
４８  アーム案内部
４８ａ  中間溝
４８ｂ  上溝
４８ｃ  下溝
５７  レバー
５８  案内ピン
５９、８０  溝カム
７０  第１上軸保持部
７０ａ  受部、
７０ｂ  スライドピン
７０ｃ  案内ピン
７１  第２上軸保持部
７１ａ  フック
７１ｂ  閉止部
７２  保持軸
８１  ピン長孔
８５  検知スイッチ
【図１】
2020200997.tif 000003
【図２】
2020200997.tif 000004
【図３】
2020200997.tif 000005
【図４】
2020200997.tif 000006
【図５】
2020200997.tif 000007
【図６】
2020200997.tif 000008
【図７】
2020200997.tif 000009
【図８】
2020200997.tif 000010
【図９】
2020200997.tif 000011
【図１０】
2020200997.tif 000012
【図１１】
2020200997.tif 000013
【図１２】
2020200997.tif 000014
【図１３】
2020200997.tif 000015
【図１４】
2020200997.tif 000016
【図１５】
2020200997.tif 000017
【図１６】
2020200997.tif 000018
【図１７】
2020200997.tif 000019
【図１８】
2020200997.tif 000020
【図１９】
2020200997.tif 000021
【図２０】
2020200997.tif 000022
【図２１】
2020200997.tif 000023
【図２２】
2020200997.tif 000024
【図２３】
2020200997.tif 000025
【図２４】
2020200997.tif 000026
【図２５】
2020200997.tif 000027
【図２６】
2020200997.tif 000028
【図２７】
2020200997.tif 000029